(57)【要約】      （修正有）【課題】搬送品相互の接触を解消し、各搬送品をムラな空中保持できる一括緩衝方式包装システムを提供する。【解決手段】在来の嵩高緩衝材を使用せず高弾性薄膜面を用いて複数の搬送品を一括で中空に固定できる保持台枠３を単体厚手緩衝材代わりとし、その中間に搬送物の挿入を案内する等配枠４を置く。【選択図】図１
0003119465.tif 000002
【実用新案登録請求の範囲】
【請求項１】
方形をなす板面に一括で運ぶ数の搬送物２が通る大きめの抜穴窓を設けて左右ともにΠ字形断面をなすよう腰板を四周に繞らせ強固な枠を形成せしめたこれの板表面に高抗張力高弾力性透明薄膜を展伸してその四周を接合した保持台枠３を２ケ１組としして用意し、一括で運ぶ数の搬送物２が通る抜穴窓を設けてΠ字形断面を有し低摩擦係数プラスチック薄膜でラミネートした搬送物の挿入案内のためのブランケット折り畳み品の等配枠４を介して一括で運ぶ数の搬送物２を容器内底に置いた保持台枠３上に縦長に仮配置しておいて、その上に裏返した保持台枠３を被せ、この１対でもって、複数の搬送品２の上下端面を包み込むかのように押圧した形で、外箱容器１の中に押し込み納めて梱包する包装システム。
【請求項２】
請求項１の包装システムに用いる等配枠４で、一括で運ぶ数の搬送物２が通る抜穴窓を設けてΠ字形断面の台枠腰板内に折り込むブランケットを、台足内部端とそれにつながり内部で折り曲がる２枚の長方形とに分け、その長方形端部をΠ字形腰板部に係合させる位置によって、腰板間のスペースサイズの大小を数段階に制御できるようにせしめたことを特徴とするもの４。
【考案の詳細な説明】
【技術分野】
【０００１】
同一機材の複数搬送すなわち通函などによる一括集合搬送への、緩衝材を使わない高抗張力高弾力性透明薄膜を利用する緩衝包装の適用である。
【背景技術】
【０００２】
通函で搬送される同一機材もしくは各モジュール材などの所用数を一括して集合搬送するさいの包装には三つの型に分けられる。その一は、一括集合累積させた纏まり全体を緩衝材でくるみ包んで緩衝対策とする集積後緩衝包装方式である。
【０００３】
その二は、個々の同一機材もしくは各モジュールを分離して個別に緩衝材や緩衝仕切溝機構で保護したものを纏めて箱詰めする緩衝仕切り方式である。
【０００４】
その三は、容器底に敷いた厚手緩衝材の上に、区画物や枠などを用いて各搬送物の分離配置しその上に被せた単体で厚手の緩衝材で加圧梱包する一括緩衝方式であり、本考案はその三に属するものである。
【０００５】
なお、以下では、１２字の「高抗張力高弾力性透明薄膜」を単に「高弾性薄膜」と５字の語句で表示し記述の簡素化を計る。
【０００６】
通函で緩衝包装を行う、個々の同一機材もしくは各モジュールを分離して置く方法、すなわち［０００３］文段の集積後緩衝包装方式と［０００４］文段の一括緩衝方式含まれるものとして有意な９特許文献に上述分類と要点と添えて列記する。
【０００７】
【特許文献１】特開平６−１０００２７  箱体、通箱の梱包方法  武内プレス工業株式会社  緩衝仕切り方式、発泡スチロール製箱内にチューブ形状の包装品を縦に纏めて装填したものを複数積み重ね纏めて梱包する。
【０００８】
【特許文献２】実開平６−５３４９２  ブラウン管用パネル包装箱  日本電気硝子株式会社  緩衝仕切り方式、樹脂製シートで作成した案内溝を二つ折りできる板材を用意し、各案内溝間にブラウン管用パネルを装填したものを包装する。
【０００９】
【特許文献３】特許２６４０８７９  板状材梱包用の段ボール製パッキン  中央紙器工業株式会社  緩衝仕切り方式、ガラス板などを板状の緩衝シートでくるみ、平行な案内溝を対抗壁に設けた容器に差し込む。
【００１０】
【特許文献４】特開平９−３０１４３４  包装用箱  王子製紙株式会社  緩衝仕切り方式、各溝に直交できる上下の溝で多数の小方形仕切を成す平板段ボールを、等配の溝を有する複数枚を重ねてなる案内を上下に配した箱内区画作成。
【００１１】
【特許文献５】特開２０００−２５８３７  包装部材及び包装装置  成田工業株式会社  緩衝仕切り方式、二つ折りできる板材に張った高弾性薄膜で包装したカートリッジの両端を、平行な案内溝を対抗壁に設けた容器に差し込む。
【００１２】
【特許文献６】特開２００１−１９２０６７  梱包用材料及び梱包方法  竹本直文  緩衝仕切り方式、高弾性薄膜を片面に張った枠を二つ折りできるカートリッジとしてその両端を平行な案内溝を対抗壁に設けた容器に差し込む。
【００１３】
【特許文献７】特開２００４−７５１７１  モジュール化したハンモック包装容器  川上産業株式会社  緩衝仕切り方式、高弾性薄膜を上下両面に張った枠の単数または複数を、上面または下面のいずれかに高弾性薄膜を張った枠とを組み合わせて各枠の膜面間に包装物を介在させる（図３）か、二つ折りできる板材に張った高弾性薄膜で包装したカートリッジの両端を平行な案内溝を対抗壁に設けた容器に差し込むか（図４）。
【００１４】
【特許文献８】実用３１０５５３９  小型基板包装補助具  高橋克彦    一括緩衝方式、二つ折りできる板材で、片側は方形凹部を多数配置し小型基板やレンズなどを凹部数以下を装填し、その凹部に対応する方形穴を配置した蓋側板材内側に高弾性薄膜を張ったものとするブック型で、本考案の目的には適合しない。
【００１５】
【特許文献９】特開２００５−１５０１２  包装容器  川上産業株式会社  緩衝仕切り方式、二つ折りできる板材に張った高弾性薄膜で包装したカートリッジの両端を、平行な案内溝を対抗壁に設けた容器に差し込むか、櫛状スリットの両壁を持つ案内具に差し込んで容器に入れる。
【００１６】
上記各文献では挿入する複数の個別搬送品を分別等配するのに、案内溝を利用しているか、高弾性薄膜を張った枠の積み重ねのいずれかであった。
【考案の開示】
【考案が解決しようとする課題】
【００１７】
上記各特許文献による記述では実例と思われるものの紹介は、ガラス製品のみと読め、それ以外は、本出願人によるもの以外のすべてが着想段階の記述であって、殆どが緩衝仕切り方式と言える。
【００１８】
一般に、一括緩衝包装できるものは軽量または擦傷がつきにくい表面を有する機材に限られ、そうでないものは、個別に分離装填して緩衝包装するには個別に緩衝材で包んで搬送箱に充填する緩衝仕切り方式が当然とされている。しかし、この在来の包装常識には次の三難点がある。
【００１９】
１）  個別に緩衝包装したものを纏めるため搬送品サイズごとに外箱が決まり、低廉な規格段ボールや通函が使えず、コスト高を招きやすい。
２）  同一機種・機材の複数を纏めて緩衝包装すると、相互の表面に擦傷が発生し易く、個々の事前包装は、包装を解く際も含めて包装工数と廃棄包装材の軽減が図りづらい。
３）  同機種異サイズの緩衝包装に嵩高な緩衝材では共用できず、機種各サイズに対応した緩衝材と包装外箱を選ばざるを得ないので、包装費用と包装資材保管経費・管理経費の低減が難しい。
【課題を解決するための手段】
【００２０】
本考案では上記三文段に記述した難点を回避するために、
（１）  上下一組の保持台枠で複数搬送品を一括保持緩衝させる。
（２）  保持台枠中間に搬送品を分離できる等配枠を配し複数搬送品を非接触状態に等配置する。なお、この等配台では各種搬送ワークの異なる外形サイズに対応させた専用品で十分であろう。
（３）  保持台枠の外周サイズを市販の規格段ボール箱またはプラスチック製折り畳み通函の内周サイズに合わせる。
の方向で三問題の解決を図った。
【００２１】
このために重ねた試作成功から、さらに、
（４）等配枠で、各種搬送ワークの異なる幅サイズへの共用化を図れる、
（５）搬送運搬中の重衝撃による精密機器外周に生ずる軽い摩擦傷の発生要因をすべて排除できる、
等の見通しと経験を重ねる事ができた。
【考案の効果】
【００２２】
上記［００２１］文段の３）対策で低廉な規格段ボールや折り畳みプラスチック製通函の採用可能となり、搬送外箱の入手コストがほぼ半減近くなった。また、上の２）対案により複数搬送品同士の搬送中に発生する摩擦がなくなり擦り傷生成要因が解消された。上の１）対抗策実施の結果、複数の搬送品を個別に緩衝包装することなく一括で保持緩衝でき、包装の手間が半減以下に削減できた。
【００２３】
それに試行改良経験から（４）等配枠で数段で搬送品の幅に対応させ構造を開発でき、搬送梱包全体としての耐衝撃力を高め得たのに加え、（５）搬送運搬中の重衝撃による精密機器外周に生ずる軽い摩擦傷の発生要因を把握できたので、手軽な方法でこれの回避方策も立て得た。
【００２４】
本考案は、区画物や枠などを用いて各搬送物の分離配置を可能にして配置できた全体の上下に敷き被せた単体で厚手の緩衝材で加圧梱包する一括緩衝方式でありながら、厚手の緩衝材で嵩高な廃棄物となるものを採用せずに、弁当箱形状や皿形状の機材を縦状に複数並べその上下端部分を高弾性薄膜を介して保持台枠で加圧することで、複数の搬送品をすべて中空に吊るようら姿勢に保持し、搬送中の各方向からの衝撃外力を保持台枠の高弾性薄膜の変形で吸収する方式であり、見方によっては嵩高な緩衝材ブロックやシートの働きを、緩衝する保持枠全体のサイズで代行するものとも言える。
【００２５】
搬送品の区分け配置のために、等配枠として長穴状の窓をあけて下台枠の上に置いたのは分離配置するためでもあるが、搬送中には大きな外力のない限り、搬送物と接触しないので、ここでは複数搬送品相互の接触を防ぐ機能だけで十分であろう。
【００２６】
従って一見すると、梱包方式としては旧来の一括緩衝方式と大差ないが、下記の事項が経費節減に貢献する。
（６）復路においては、保持台枠も等配枠も折り畳んで平らに纏めて運べ、空気を運ぶかのような嵩高な緩衝材の持つ返送費用のデメリットが無い。
（７）嵩高な緩衝材の処理に廃棄する費用が要らない。
【００２７】
（６）項で発生する折り畳みに要する工数すなわち人件費は、（６）の嵩高な緩衝材の持つ返送費または（７）廃棄費用との相殺方向に働くのでさしたるメリットを産まないにしても、コスト低減には多少は貢献できよう。
【００２８】
本考案では、特許文献の少ない一括緩衝システムとして、［００２２］〜［００２７］の各文段で述べたように８項にのぼる効果が期待できる。
【考案を実施するための最良の形態】
【００２９】
以上の効果を理解し易い、図１：一括緩衝システム説明図でみる。この図１は（Ａ）：充填順説明、（Ｂ）：充填直後図、（Ｃ）：梱包状態模式図の３イラストで構成され、梱包手順を（Ａ）で、衝機能を（Ｃ）で説明している。
【００３０】
（Ａ）：充填順説明で見るように、本考案の一括緩衝システムでは下側から上への順に装填して行くものとしている。
【００３１】
最下段に配置した仮想線（二点鎖線）で示してある箱は、通函などの外箱の内容積を示す立方体である。通函そのものの図示を避けたのは、通函が段ボール箱であってもプラスチック製折り畳み箱であっても金属製あるいは木製であっても構わないからである。ともかく、通函そのものは問わないが外箱容器として事前に用意されているものとする。
【００３２】
高弾性薄膜面を上に向けた下部保持台枠３を、通函の底へ置く。底に敷くので「下部」と言う語句がついてはいるが、図（Ａ）頭部の上部保持台枠３と変わらない。なお、保持台枠３の数字３は、後続部分で符号「３」のついた「保持台枠」として詳述されていることを示している。
【００３３】
その上に、等配枠４を置き、複数の搬送品を等配窓板に設けられた長穴状の抜窓に挿し込む形で立てる。なお、この分離等配枠４は同種搬送機種の複数サイズに共用しないで、各搬送機種に適合させたものを用いるのが普通である。
【００３４】
高弾性薄膜面を下に向けた保持台枠３を、複数の搬送品に被せるように載せる。なお、保持台枠３は［００３２］のものと同じであって裏表を逆にしただけである。
【００３５】
ここまで積み重ねた時、通函の上端から保持台枠３がある程度飛び出している。これが図（Ｂ）：充填直後図で、寸法Ｈとして示されている。これは、下部保持台枠３の高弾性膜面が複数の搬送品の自重のみの負荷しか受けていないので、僅かしか沈み込んで居ないためである。これは、当然なこととして説明しない。
【００３６】
最後に、図（Ｂ）の寸法Ｈ＝外箱の上端からある程度飛び出している保持台枠３を、底方向にへ押し込む形で箱に蓋をする。蓋部分を固定できる通函でない時は、蓋を被せた外箱をシールテープまたはバンドしっかりなどで梱包する。
【００３７】
以上の手順で包装でき、嵩高な緩衝材を用いる必要がない。在来の嵩高な一括緩衝システムや紹介特許文献などと比較するとき異なる点は［００３３］における等配枠４であって、在来の搬送物幅方向に配置した櫛形案内に搬送物の両幅を差し込むのよりは多少能率的とは言えるだけである。
【００３８】
しかしこれによって期待できる効果は、方形や円盤状の搬送物なら、幅方向のサイズに有る程度の幅で共用化できることが等配枠４の形状から理解できよう。いや、等配枠４に設ける長穴のサイズでも共用できると気づけるものが搬送物の厚さは穴の幅で決められる事である。  
【００３９】
箱サイズと保持台枠３が共通なら、等配枠４のみで、搬送品の厚さと幅で有る範囲内で共用できることを示しており、搬送物幅方向に櫛形案内配置した在来方式よりは簡便で低費用で寄り多くの搬送機材に適合させうる効果を認め得る。
【００４０】
さらに、搬送品を除いた通函・保持台枠３・等配枠４などは包装時以外には折り畳みできるので搬送復路においてはコンパクトに扱え返送コストの低減も期待できる。このことは、本システムの緩衝包装材も保管時には折り畳んで保存できるので保管資材としても低廉に済むはずである。
【００４１】
いや、搬送にとっての最重要事項はコストではなく、機材の損傷防止である。そちらの方はどうかについては、図（Ｃ）：梱包状態模式図でお応えしたい。
【００４２】
図（Ｃ）の符号１〜４は図（Ａ）と同じなので、この図は、通函などの容器１で、４ヶの搬送物２を上下の保持台枠３で支持している、等配枠４は搬送物２を分離しているのではないらしく搬送物２に接触していない。高弾性薄膜３４１は保持台枠３の長窓から上下に膨らんで個々の搬送物２を中空に吊っているらしいことを、示している。
【００４３】
宙づりにされているなら、搬送中への衝撃受領時に、高弾性薄膜３４１でく搬送物２を押さえ込んだまま空気中を振動するだけであり、搬送物２に当たりうる可能性のあるものは等配枠４の長穴の縁の折れ曲がる羽みたいなものだけだから、傷も付くまい、ハンモック包装方式とも呼ぶのは尤もだとも判断できる筈である。
【００４４】
以上の図１：一括緩衝システム説明図による本考案の概説を終えるが、図１の（Ａ）と（Ｃ）を見比べることで次の２項についても自然に思い至ると思える。
【００４５】
図（Ｃ）では、図（Ｂ）の寸法Ｈがゼロになっただけであるから、搬送物２の  外形サイズのうち高さが小さいものは寸法Ｈに等しいか近いスペーサーか台を乗せることで、この外箱でより小さい高さの搬送品２の梱包にも共用できる。［００３８］で搬送物２の幅と厚さの両方向への有る程度の範囲内での共用化可能を、これで、高さ方向への有る程度の範囲内での共用化可能を確かめ得たことになる。すなわち、本考案の一括緩衝システムでは、搬送物２の外形サイズの３方向への寸法差を許容できる事になる。
【００４６】
また、図（Ｃ）で看るように、等配枠４は搬送物２に接触していない。等配枠の分離機能は錯覚であって、。等配枠４の機能は搬送物２を配列するための挿入案内なのではないか。だとすると、薄い板材で十分で有ろうとの結論である。
【実施例１】
【００４７】
外箱に関係なく適用できる本考案包装システムを構成するものは、図１（Ａ）に視る通り二つである。その一は、保持台枠３であり、その二は、等配枠４である。この順で各図を用いて説明するが、その前に図１からこの二つを要約してみたい。
【００４８】
保持台枠３は、一言で表現すると、方形をなす板面に一括で運ぶ数の搬送物２が通る大きめの抜穴窓を設けて左右ともにΠ字形断面をなすよう腰板を四周に繞らせ強固な枠を形成せしめたこれの板表面に高抗張力高弾力性透明薄膜を展伸してその四周を接合したものである。
【００４９】
一方、等配枠４は、一括で運ぶ数の搬送物２が通る抜穴窓を設けてΠ字形断面を有し低摩擦係数プラスチック薄膜でラミネートした搬送物の挿入案内のためのブランケット折り畳み品、と言える。
【００５０】
したがって、本考案は等配枠４を介して一括で運ぶ数の搬送物２を容器内底に置いた保持台枠３に縦長に仮配置しておいてその上に裏返した保持台枠３を被せ、この１対でもって、複数の搬送品２の上下端面を包み込むかのように押圧した形で、外箱容器１の中に納める包装システムといえる。
【００５１】
この［００４８］保持台枠３の構成は［００５３］以下で、［００４９］等配枠４の構造を［００７２］以下で記述する。
【００５２】
保持台枠３は、搬送品を最大で窓穴数までの数の搬送品２を一括して、それらの上と下を押さえ込むことによって、嵩のある緩衝材を用いることなく搬送品を保持するためのものである。この詳細を図２：保持台枠斜視図と［００４９］〜［００６９］の文段で詳述する。
【００５３】
等配枠４は、搬送品を最大で窓穴数までの数を一括してそれらを縦長にかつ各搬送品間隔を置いて挿入を容易にするためのものである。搬送品機種専用でなく異なるサイズの同類複数機種にも工夫次第によっては扱えるものとなる。等配枠４の詳細を［００７１］〜［００８９］の文段と図３：分離等配枠斜視図で述べる。
【００５４】
図２：保持台枠構成図では本考案一括緩衝方式システムの中核を成す保持台枠３を四図に分けて説明した。それは図（Ｄ）台枠３１０  展開・図（Ｅ）台枠３    折畳・図（Ｇ）高弾性薄膜３４１  展開図・（Ｆ）高弾性薄膜３４  折畳であり、この順に説明する。英字順でないことに留意されたい。
【００５５】
図（Ａ）台枠３１０の展開斜視図に視るように、全体で十字形を成す台枠３１０の中央の台枠板３１１は、台枠腰長外折目３１６と台枠腰短外折目３１７で囲まれた方形を成している。なお、外折目とは破線位置を折り曲げた際の折目が外側に凸になるようなエボンス加工を示している。
【００５６】
この方形の台枠板３１１には複数の窓穴が成形されている。窓穴外折目３１３を窓穴切分線３１５で二分した二枚の窓穴補強板３１４を有する一組の抜窓穴３１２が本図では４組等配されている。なお、抜窓穴３１２のサイズは搬送品２の断面より二回りほど大きいものに設定する。
【００５７】
この台枠板３１１の長手方向両側には、台枠腰短外折目３１７・台短腰板３３１・台枠内短外折目３１９・台内短板３３２と延び、台内短板３３２の両側端には台内凹接手３３３を設けている。
【００５８】
また、台枠板３１１の幅両側への延展は台枠腰長外折目３１６・台長腰板３２１・台内長板３２２と続き末端の台内長板３２２両側端には台内凸接手３２３があり、これは台内凹接手３３３と係合するとき、図（Ｅ）前面の一部切断表示部分に見るように台内長板３２２と台内短板３３２とを台長腰板３２１と台短腰板３３１とが成す方形腰枠の補強内枠を強固なものとして形成する。
【００５９】
以上で述べた台枠３１０の展開図で、全折目が外側になるように凸に折り曲げ、台枠凸接手３２３と台枠凹接手３３３が４組ともに係合させて折り畳み完了の組立たものを、裏返したのが図（Ｅ）の保持台枠３１の組立品斜視図として示されている。
【００６０】
ただし、この状態では組立た台枠３０として機能しない。図（Ｆ）に示すような浅い方形箱状に折り畳みまれた高弾性薄膜３４が貼られないと、１ヶの搬送品２さえも保持できないからである。
【００６１】
このための高抗張力高弾力性透明薄膜シート３４１を図（Ｇ）高抗張力高弾力性透明薄膜３４展開とそれを接合直前の成形した形状の図（Ｆ）高弾性薄膜３４折畳に示した。
【００６２】
高抗張力高弾力性透明薄膜シート３４１は方形であって四隅に図（Ｇ）に細実線で示した隅切落３４３があって、それの凹角が切落角３４２であって全体としては張り出しの短い十字形を成している。この切落角３４２の長手方向を結ぶ細破線が長手内折目３４７であり、切落角３４２の短辺方向を結ぶ細破線が幅側二重内折目３４５であり、その幅側外側にさらにも細破線として図示している幅側重ね内折目３４４がある。
【００６３】
この高抗張力高弾力性透明薄膜シート３４１の両側の幅側末端３４６が内部に重なるように幅側重ね内折目３４４を折り畳んでから台枠３１の台枠板３１１面に張り、長手内折目３４７を折り立ち上げる形にして図（Ｆ）の扁平白矢印の台枠短腰板接着面３６１に台枠短腰板両面接着テープ３７１で固定し、幅側二重内折目３４５を折り立ち上げる形にして図（Ｆ）の扁平白矢印で示した台枠長腰板接着面３６２に台枠長腰板両面接着テープ３７２で固定する。
【００６４】
高弾性薄膜３４１だけの形を見ると、図（Ｆ）高弾性薄膜３４折畳に示した組立形状になる。すなわち、シート３４１の幅側末端３４６が接着後長手末端３５２に、シート３４１の長手末端３４８が接着後幅側末端３５１として図示されている。
【００６５】
この接着後幅側末端３５１と接着後長手末端３５２の各相対する２辺の立ち上げとから成る４周が、図（Ｂ）の保持台枠３１の組立品の各腰板下部に接着される台枠短腰板接着面３６１と台枠長腰板接着面３６２になる。
【００６６】
このように接着した後に、高弾性薄膜３４１部分のみで言うと、膜面が高弾性薄膜シート単層部分３４１Ｓ範囲と、二枚重ねの扁平白矢印の台枠長腰板接着面３６２立ち上げ部分と高弾性薄膜シート二重部分３４１Ｗ範囲とになるように故意に設計したのは、破れにくくするほか、搬送品２端部の保持力を倍増させるためでもある。
【００６７】
かくして図（Ｅ）の保持台枠３１と図（Ｆ）高弾性薄膜３４折畳の接着結合によって、はじめて保持台枠３として機能するようになる。この形成された保持台枠３は、台枠凸接手３２３と台枠凹接手３３３の４組ともに係合を解いて展開して、再折り曲げ組立しても後段に述べる機能を損なうことが無い。すなわち［００２２］文段記述の効果は保持されることに留意して欲しい。
【００６８】
斯様に構成された保持台枠３の外形サイズについて触れる。外周寸法は図１の（Ａ）充填順説明図や（Ｂ）充填直後図から判断できるように、通函として採用した外箱容器の内法で決まる。すなわち、容器内にスッポリ収まるが、容器内壁との隙間が保持台枠３の板材である台枠板３１１の厚さの２倍以下が妥当である。
【００６９】
保持台枠３の高さ≒台長腰板３２１＝台短腰板３３１は、搬送品の重量・高弾性薄膜シート膜厚・抜窓穴３１２の窓幅・台枠板３１１の厚さと強度などの諸条件下で１０Ｇへの耐衝撃性を持たせたものに所定の安全率を乗じて決めるので一概に言えないが、在来の一括緩衝方式でスポンジや発泡スチロール採用時と大差ない。
【００７０】
以上で本システムを構成するものの一である保持台枠３に関する構成の説明を終わる。次に、図３：等配枠説明図は、（Ｈ）等配枠４１１展開で形状詳細を、それを折り曲げ形成した形を外観図（Ｊ）等配枠４折畳組上で、搬送品許容幅調整の説明を図（Ｋ）等配枠縦断図で、各々記載する。
【００７１】
等配枠４は、搬送品を窓穴数までの数を一括してそれらを縦長にかつ各搬送品間隔を置いくように挿入を容易にするためのものである。分離配置の案内でもあるが、搬送中は原則として搬送品に接触しないように設計される。このため、当初は搬送機種ごとの専用で有った。
【００７２】
納入を重ねている内に顧客の要望などで異なるサイズの同類複数機種にも許容対応できるようになったので、本明細書では、搬送品の外形サイズを構成する３要素、厚さ・幅・高さの三次元で標準機種のサイズ±２５％の範囲で対応できるものを説明する。
【００７３】
等配枠４は段ボール板などの表面に低摩擦係数のフイルムをラミネートしたものを図３の（Ｄ）等配枠４１１展開図に見るように横長な十字形を成している。長手方向左端から右端へと順に説明する。
【００７４】
全体を外折り目で左端から区分けすると、内幅決め突起４２５を２個持つ内幅調整上板４２４・窓内幅調整外折目４１９・内幅調整下板４２３・窓内下外折目４１８・窓底板４２２・窓台足外折目４１７・窓腰板４２１・窓板腰外折目４１６・等配窓板４１１・窓板腰外折目４１６・窓腰板４２１・窓底外折目４１７・窓底板４２２・内下底外折目４１８・内幅下板４２３・窓内幅調整外折目４１９・窓内幅上板４２４・内幅決め突起４２５と並ぶ。これは左右対称であり、ラミネート面を上面にしている。
【００７５】
中心に位置する等配窓板４１１は窓板外折目４１６と補強板外折目４２６に囲まれた方形であって、上下に窓補強板４２７を持ち、方形内に４個の抜窓４１５を有し各抜窓内に折り曲げる縁補強板４１２とその窓縁外折目４１３各２ヶと縁補強板切り目４１４を有する。
【００７６】
等配窓板４１１に４ヶの小さい矩形の穴があり、両窓腰板４２１にも各１２ヶの小矩形穴が設けられ、各々に搬送品許容幅最大設定穴４２１１・搬送品許容幅大設定穴４２１２・搬送品許容幅中設定穴４１１３・搬送品許容幅最小設定穴４２１４と附番してある。計１６個の小矩形穴については［００７８］［００８１］〜［００８３］で記述を補う。
【００７７】
展開図（Ｈ）で、二点鎖線で表示されている三種の縦長矩形は等配窓板４１１を展開したまま付設する部品であって、内板張り高弾性薄膜シート４３・これの接着両面テープ４４は内幅上板４２４と内幅下板４２３表面に、軽粘着性接着剤塗布部分４５は窓底板４２２表面の小面積に塗布して置くものとする。
【００７８】
この等配窓板４１１のすべての外折目を曲げて、内幅決め突起４２５を搬送品許容幅設定穴４２１１・４２１２・４２１３・４２１４のどれかに挿し込んでおくことにより、図（Ｊ）の外観図の形をとる。
【００７９】
この等配枠の外周サイズは、図１（Ａ）充填順説明図内の２番目  等配枠４  の記載イラストから保持台枠３とほぼ同じか多少小さめ程度であることは自明であろう。これの縁補強板切り目４１４に沿って縦断したものが（Ｋ）等配枠縦断図である。
【００８０】
図３の（Ｋ）等配枠縦断図は、内幅下板４２３と内幅上板４２４とが窓内幅調整外折目４１９と内下板外折目４１８とが成す折り曲げ角により搬送品許容幅Ｗ１〜Ｗ４が変えられることを示している。
【００８１】
その搬送品許容幅の選定は内幅決め突起４２５を搬送品許容幅最大設定穴４２１１・搬送品許容幅大設定穴４２１２・搬送品許容幅中設定穴４２１３・搬送品許容幅最小設定穴４２１４のどれかに挿し込んで行うが、図（Ｋ）では搬送品許容幅最大設定穴４２１１に係合させてあるため搬送品許容幅最大Ｗ１を設定している。
【００８２】
よって、搬送品許容幅大Ｗ２・搬送品許容幅中Ｗ３・搬送品許容幅最小Ｗ４の設定時の状況は細い仮装線で示した。
【００８３】
内幅下板４２３と内幅上板４２４は、接着両面テープ４４によって内板張り高抗張力高弾力性透明薄膜シート４３によって係合されているためこのシート４３の弾性により絶えず平面を保つ方向に働くため、設定された搬送品許容幅Ｗ１〜Ｗ４を確実に保持する。
【００８４】
この内板張り高抗張力高弾力性透明薄膜シート４３は、本システムが一過性の当用時には必要ないものであって、本システムを工場や出荷先との頻繁な繰り返し往復に常用する通函搬送時には必至なものである。
【００８５】
なぜなら、等配枠４の窓内幅調整外折目４１９に曲げ角度癖で、小さめな搬送品許容幅での数回以上の運用時により広い搬送品許容幅に対応できなくなることを防止するための経験から産まれた工夫だからである。
【００８６】
しかし、注意深く当等配枠４を検討するとき不安が残るかも知れない。それは、この等配枠４には保持台枠３と異なって、［００５８］文段記述のような台周りをなす腰板をしっかりと補強固定する仕組みになっていないからである。
【００８７】
しかし、その心配は杞憂に過ぎない。なぜなら、一に外箱たる容器１に納めてしまうと等配枠４の窓腰板４２１は容器２内壁に遮られ外側に開かない、二に窓補強板４２７を直角以上に曲げ込んでおけば内部にも倒れないからである。
【００８８】
さらに、容器１内に落とし込んだ際に、保持台枠３の台枠３１表面に載る等配枠４の台足となる窓底板４２２が両側ともに台枠３１表面に軽く接着できるからである。これは図３（Ｈ）等配枠４１１展開と（Ｋ）等配枠縦断図の符号４５施工による効果である。
【００８９】
この部分の  軽粘着性接着剤塗布部分４５とは事務用付箋ていどの何遍でも張り剥がせる感圧性粘着材を塗って置くことを指す。以上の３事項は［００８６］で上げた不安要因の存在を否定している。
【００９０】
以上で本システムを構成するものの一である保持台枠３の説明を終わる。続いて、図４：緩衝保持機能説明図で、本考案の保持台枠３の機能を詳述する。
【００９１】
この図４は［００８０］で触れた（Ｋ）等配枠縦断図と同じく、図１（Ｃ）のように梱包された全体を、等配枠４の抜窓４１２の真ん中の窓縁補強板切り目４１４に沿って縦断視したものゆえ、視線方向は、図１（Ｃ）梱包状態模式図とは９０度異なる。
【００９２】
なお、（Ｋ）等配枠縦断図では符号引出し先を明確にするために故意にハッチングを施さなかったが、図４：緩衝保持機能説明図ではハッチングを省略していない。
【００９３】
また、この図４では内幅決め突起４２５を搬送品許容幅大設定穴４２１２に係合したものとして描いている。また、図中央の十字矢印Ｖの衝撃時加振方向での挙動を説明するため意図的に行った表示が２項ある。保持台枠３の表面に張った高弾性薄膜４３１を太線で明示し、それの加振時移動位置では細い仮装線で表示した。そして搬送品２の異動先上下端部を仮装線で表現した。
【００９４】
図４が描いている状況を、今までの記述との重複を恐れずに説明する。図４の左側の符号配列で直感できるように容器１内に上下に隙間が出ないように、上から保持台枠３、中間に搬送品２と等配枠４、底に保持台枠３と３層に押し込み詰められている。
【００９５】
押し込んだ量のほぼ半分づつが、保持台枠３表面台枠板３１１に張った高弾性薄膜シート３４１が抜窓穴３１２から保持台枠３裏側に凸状に突き出している。
【００９６】
このため、太線で明示した高弾性薄膜シート４３１の高弾性薄膜シート単層部分３４１Ｓが突き出した搬送品２の上辺全面を、高弾性薄膜シート二重部分３４１Ｗの一部で突き出した搬送品２の両肩部分を梱包容器１の中間に押し戻すように伸びている。
【００９７】
これは高弾性薄膜シート４３１の局所の伸び代長さに応じた張力で搬送品２を元々中空である梱包容器１内に宙づり姿勢で位置決めしていることで、搬送品２を保持することになる。
【００９８】
こうなるのは、台枠板３１１の周囲を、台内長板３２２を補強折り返しとした台長腰板３２１と台内短板３３２で補強された台短腰板３３１とが係合されて押し込み反力で変形しない台枠を形成できているからである。
【００９９】
この状況は上下で一対をなす保持台枠３のいずれでも変わらない。違うのは向きだけである。ここで、外部からの衝撃を受けた際の状況をとりあえず単純化して検討する。
【０１００】
図４の真ん中に置いた加振方向をしめすＶ符号の十字から見てゆく。上下動の加振衝撃を受けた際を始めの検討項目として見る。まず、上向きの１０Ｇの加速度であると想定した際、搬送品２の上面も上に跳ね上がるが高弾性薄膜シート３４１の抗張力によって妨げられ上部高弾性薄膜シート衝撃時上限位置３４１ＴＵで止められるが一方搬送品２の下面も搬送品２の下面は下部高弾性薄膜シート衝撃時上限位置３４１ＢＵまで昇るが、高弾性薄膜シート３４１の伸縮は上面が大きく下面が小さいのでその抗張力の差が反力として搬送品２に作用して下の元位置に戻ろうとする。
【０１０１】
つぎに、下向きの１０Ｇの加速度であると想定した際、搬送品２の下面も定常位置から下に動くも底側の保持台枠３の高弾性薄膜シート３４１の伸びに伴う抗張力が下部高弾性薄膜シート衝撃時下限位置３４１ＢＤで加工運動を停止させる一方搬送品２の上面も下がり上部高弾性薄膜シート衝撃時下限位置３４１ＴＤで止まるが、この際の高弾性薄膜シート３４１の伸縮は上面がマイナスで下面がプラスなのでその抗張力の差が反力として搬送品２に作用して上の元位置に戻そうとする。
【０１０２】
横向きの１０Ｇの加速度が負荷されたと想定した際、容器１の空中に保持されている搬送品２は左右に移動しようとするが、搬送品２の上面や下面と高い圧力で接触している高弾性薄膜シート３４１表面はそれの高い摩擦係数のため、上面や下面のか滑動を許さないので、左側に運動するためには左肩＝上面左角の２層の斜面を成している高弾性薄膜シート３４１部分を緩み弛ませ、右肩＝上面右角を覆い斜面を成している２層の高弾性薄膜シート３４１部分を引き延ばす必要がある。
【０１０３】
搬送品２下面と接触している弾性薄膜シート３４１表面においてもこの状況は同じで、しかも、この横向きの負荷が有効に働く部分は伸びる搬送品２の厚さと幅を凸状に覆うように斜面を形成している部分だけであるため、高弾性薄膜シート３４１の抗張力が働く面積が狭いため強く働く。
【０１０４】
したがい、左方向に負荷した際には、搬送品２の上面抜窓穴左側隙間ＬＴと下面抜窓穴左側隙間ＬＢを狭めるも、ゼロとすることはなく、上面抜窓穴左側隙間ＲＴと下面抜窓穴左側隙間ＲＢを多少広げ、元に戻すように作用する。
【０１０５】
また。右方向にＧが懸かっても搬送品２の上面抜窓穴左側隙間ＬＴと下面抜窓穴左側隙間ＬＢを多少引き延ばし、上面抜窓穴左側隙間ＲＴと下面抜窓穴左側隙間ＲＢを多少狭めるも、抜窓穴端部に衝突することはなく、元位置に戻ろうとする。
【０１０６】
図４で搬送品２が前後に振動する際を考えてみると、これは図１（Ｃ）梱包状態模式図でいうと搬送品２が左右に振動する事であり、上記［０１０２］文段とほぼ同じなのでそれを準用して構わないように思える。
【０１０７】
試験結果では、搬送品２挿入時に搬送品が倒れ気味にセットされても、上部保持台枠３を緩やかに押し込むと、搬送品２は保持台枠３の抜窓穴３１２のセンターに自動調芯されたかのように保持される傾向があるとの説もあるが無視すると、等配枠４の抜窓４１２の幅は配送品２の厚さで塞がれるので、隙間も小さいので、抜窓内の窓縁内板４１４には接触する可能性が大きいと考えられる。
【０１０８】
搬送中の衝撃方向は、単純化した［０１００］〜［０１０６］の組み合わせ複合であるものの、高弾性薄膜シート３４１で複数の搬送品２を宙づり状に保持したまま運べるので接触するものは無いはずだが、本システムではの接触の発生対象は等配枠４のみであるから、等配枠４板材には摩擦係数の低いプラスチック薄膜をラミネートし、摩擦回数の多くなりそうな内幅調整部分では念のため高弾性薄膜シートを張り、さらに摩擦発生防止策の一つとして、等配枠４を保持台枠３に接着した。
【産業上の利用可能性】
【０１０９】
容器内の底に敷いた厚手緩衝材の上に、区画物や枠などを用いて各搬送物の分離配置しその上に被せた厚手の単体緩衝材で加圧梱包する一括緩衝方式包装において、厚手の単体緩衝材に代わる保持台枠によって、繰り返し運用できる緩衝搬送方式を提供できた。
【０１１０】
この繰り返し運用可能により、搬送費経費の面でも、嵩高緩衝材の保管と管理と廃棄処理などの不要化によるメリットは大きい。
【図面の簡単な説明】
【０１１１】
【図１】一括緩衝システム説明図    （Ａ）充填順説明    （Ｂ）充填直後図    （Ｃ）梱包状態模式図
【図２】保持台枠構成図    （Ｄ）台枠３１０  展開    （Ｅ）台枠３０    折畳    （Ｆ）高弾性薄膜３４  折畳    （Ｇ）高弾性薄膜３４１  展開
【図３】等配枠説明図    （Ｈ）等配枠４１１  展開    （Ｊ）等配枠４１折畳組上    （Ｋ）等配枠４１縦断図
【図４】緩衝保持機能説明図
【符号の説明】
【０１１２】
１          外箱容器内規
２          搬送品例
３          保持台枠（組立品）
３１        台枠（組立）
３１０      台枠（展開）
３１１      台枠板
３１２      抜窓穴
３１３      窓穴外折目
３１４      窓穴補強板
３１５      窓穴切分線
３１６      台枠腰長外折目
３１７      台枠腰短外折目
３１８      台枠内長外折目
３１９      台枠内短外折目
３２１      台長腰板
３２２      台内長板
３２３      台内凸接手
３３１      台短腰板
３３２      台内短板
３３３      台内凹接手
３４        高弾性薄膜  折畳
３４１      高弾性薄膜シート
３４１Ｓ    高弾性薄膜シート単層部分
３４１Ｗ    高弾性薄膜シート二重部分
３４１ＢＵ  下部高弾性薄膜シート衝撃時上下限位置
３４１ＢＤ  下部高弾性薄膜シート衝撃時下限位置
３４１ＴＵ  上部高弾性薄膜シート衝撃時上限位置
３４１ＴＤ  上部高弾性薄膜シート衝撃時下上限位置
３４２      切落角
３４３      隅切落
３４４      幅側重ね内折目
３４５      幅側二重内折目
３４６      幅側末端
３４７      長手内折目
３４８      長手末端
３５１      接着後幅側末端
３５２      接着後長手末端
３６１      台枠短腰板接着面
３６２      台枠長腰板接着面
３７１      台枠短腰板両面接着テープ
３７２      台枠長腰板両面接着テープ
４          等配枠
４１１      等配窓板
４１２      抜窓
４１３      窓縁外折目
４１４      窓縁内板
４１５      窓板切分線
４１６      窓腰板外折目
４１７      窓台足外折目
４１８      窓内下外折目
４１９      窓内幅調整外折目
４２１      窓腰板
４２１１    搬送品許容幅最大設定穴
４２１２    搬送品許容幅大設定穴
４２１３    搬送品許容幅中設定穴
４２１４    搬送品許容幅最小設定穴
４２２      窓底板
４２３      内幅調整下板
４２４      内幅調整上板
４２５      内幅調整決め突起
４２６      縁折目
４２７      縁補強板
４３        内板張り高弾性薄膜シート
４４        同上接着両面テープ
４５        軽粘着性接着剤塗布部分
ＬＢ        下面抜窓穴左側隙間
ＬＴ        上面抜窓穴左側隙間
ＲＢ        下面抜窓穴右側隙間
ＲＴ        上面抜窓穴右側隙間
Ｗ１        搬送品許容幅最大
Ｗ２        搬送品許容幅大
Ｗ３        搬送品許容幅中
Ｗ４        搬送品許容幅最小
Ｖ          衝撃時加振方向
太白矢印    状態の変更を示す
扁平白矢印  接着面を示す
【図１】
0003119465.tif 000003
【図２】
0003119465.tif 000004
【図３】
0003119465.tif 000005
【図４】
0003119465.tif 000006
【手続補正書】
【提出日】平成17年12月5日(2005.12.5)
【手続補正１】
【補正対象書類名】実用新案登録請求の範囲
【補正対象項目名】全文
【補正方法】変更
【補正の内容】
【実用新案登録請求の範囲】
【請求項１】
方形をなす板面に一括で運ぶ数の搬送物２が通る大きめの抜穴窓を設けて左右ともにΠ字形断面をなすよう腰板を四周に繞らせ強固な枠を形成せしめたこれの板表面に高抗張力高弾力性透明薄膜を展伸してその四周を接合した保持台枠３を２ケ１組として用意し、一括で運ぶ数の搬送物２が通る抜穴窓を設けてΠ字形断面を有し低摩擦係数プラスチック薄膜でラミネートした搬送物の挿入案内のためのブランケット折り畳み品の等配枠４を介して一括で運ぶ数の搬送物２を容器内底に置いた保持台枠３上に縦長に仮配置しておいて、その上に裏返した保持台枠３を被せ、この１対でもって、複数の搬送品２の上下端面を包み込むかのように押圧した形で、外箱容器１の中に押し込み納めて梱包できることを特徴とする等配枠４と組合せ使用できる保持台枠３。
【請求項２】
請求項１の保持台枠３への搬送物２の挿入配列を補助する等配枠４で、一括で運ぶ数の搬送物２が通る抜穴窓を設けてΠ字形断面の台枠腰板内に折り込むブランケットを、台足内部端とそれにつながり内部で折り曲がる２枚の長方形とに分け、その長方形端部をΠ字形腰板部に係合させる位置によって、腰板間のスペースサイズの大小を数段階に制御できるようにせしめたことを特徴とする等配枠。
【手続補正２】
【補正対象書類名】明細書
【補正対象項目名】全文
【補正方法】変更
【補正の内容】
【考案の詳細な説明】
【技術分野】
【０００１】  同一機材の複数搬送すなわち通函などによる一括集合搬送への、緩衝材を使わない高抗張力高弾力性透明薄膜を利用する緩衝包装用補助具である。
【背景技術】
【０００２】  通函で搬送される同一機材もしくは各モジュール材などの所用数を一括して集合搬送するさいの包装には三つの型に分けられる。その一は、一括集合累積させた纏まり全体を緩衝材でくるみ包んで緩衝対策とする集積後緩衝包装方式である。【０００３】  その二は、個々の同一機材もしくは各モジュールを分離して個別に緩衝材や緩衝仕切溝機構で保護したものを纏めて箱詰めする緩衝仕切り方式である。【０００４】  その三は、容器底に敷いた厚手緩衝材の上に、区画物や枠などを用いて各搬送物の分離配置しその上に被せた単体で厚手の緩衝材で加圧梱包する一括緩衝方式であり、本考案はその三に属するものである。【０００５】  なお、以下では、１２字の「高抗張力高弾力性透明薄膜」を単に「高弾性薄膜」と５字の語句で表示し記述の簡素化を計る。【０００６】  通函で緩衝包装を行う、個々の同一機材もしくは各モジュールを分離して置く方法、すなわち［０００３］文段の集積後緩衝包装方式と［０００４］文段の一括緩衝方式含まれるものとして有意な９特許文献に上述分類と要点と添えて列記する。【０００７】
【特許文献１】特開平６−１０００２７  箱体、通箱の梱包方法  武内プレス工業株式会社  緩衝仕切り方式、発泡スチロール製箱内にチューブ形状の包装品を縦に纏めて装填したものを複数積み重ね纏めて梱包する。
【０００８】
【特許文献２】実開平６−５３４９２  ブラウン管用パネル包装箱  日本電気硝子株式会社  緩衝仕切り方式、樹脂製シートで作成した案内溝を二つ折りできる板材を用意し、各案内溝間にブラウン管用パネルを装填したものを包装する。
【０００９】
【特許文献３】特許２６４０８７９  板状材梱包用の段ボール製パッキン  中央紙器工業株式会社  緩衝仕切り方式、ガラス板などを板状の緩衝シートでくるみ、平行な案内溝を対抗壁に設けた容器に差し込む。
【００１０】
【特許文献４】特開平９−３０１４３４  包装用箱  王子製紙株式会社  緩衝仕切り方式、各溝に直交できる上下の溝で多数の小方形仕切を成す平板段ボールを、等配の溝を有する複数枚を重ねてなる案内を上下に配した箱内区画作成。
【００１１】
【特許文献５】特開２０００−２５８３７  包装部材及び包装装置  成田工業株式会社  緩衝仕切り方式、二つ折りできる板材に張った高弾性薄膜で包装したカートリッジの両端を、平行な案内溝を対抗壁に設けた容器に差し込む。
【００１２】
【特許文献６】特開２００１−１９２０６７  梱包用材料及び梱包方法  竹本直文  緩衝仕切り方式、高弾性薄膜を片面に張った枠を二つ折りできるカートリッジとしてその両端を平行な案内溝を対抗壁に設けた容器に差し込む。
【００１３】
【特許文献７】特開２００４−７５１７１  モジュール化したハンモック包装容器  川上産業株式会社  緩衝仕切り方式、高弾性薄膜を上下両面に張った枠の単数または複数を、上面または下面のいずれかに高弾性薄膜を張った枠とを組み合わせて各枠の膜面間に包装物を介在させる（図３）か、二つ折りできる板材に張った高弾性薄膜で包装したカートリッジの両端を平行な案内溝を対抗壁に設けた容器に差し込むかをこの文献内の図４などで示している。
【００１４】
【特許文献８】実用３１０５５３９  小型基板包装補助具  高橋克彦    一括緩衝方式、二つ折りできる板材で、片側は方形凹部を多数配置し小型基板やレンズなどを凹部数以下を装填し、その凹部に対応する方形穴を配置した蓋側板材内側に高弾性薄膜を張ったものとするブック型で、本考案の目的には適合しない。
【００１５】
【特許文献９】特開２００５−１５０１２  包装容器  川上産業株式会社  緩衝仕切り方式、二つ折りできる板材に張った高弾性薄膜で包装したカートリッジの両端を、平行な案内溝を対抗壁に設けた容器に差し込むか、櫛状スリットの両壁を持つ案内具に差し込んで容器に入れる。
【００１６】  上記各文献では挿入する複数の個別搬送品を分別等配するのに、案内溝を利用しているか、高弾性薄膜を張った枠の積み重ねのいずれかであった。
【考案の開示】
【考案が解決しようとする課題】
【００１７】  上記各特許文献による記述では実例と思われるものの紹介は、ガラス製品のみと読め、それ以外は、本出願人によるもの以外のすべてが着想段階の記述であって、殆どが緩衝仕切り方式と言える。【００１８】  一般に、一括緩衝包装できるものは軽量または擦傷がつきにくい表面を有する機材に限られ、そうでないものは、個別に分離装填して緩衝包装するには個別に緩衝材で包んで搬送箱に充填する緩衝仕切り方式が当然とされている。しかし、この在来の包装常識には次の三難点がある。【００１９】１）  個別に緩衝包装したものを纏めるため搬送品サイズごとに外箱が決まり、低廉な規格段ボールや通函が使えず、コスト高を招きやすい。２）  同一機種・機材の複数を纏めて緩衝包装すると、相互の表面に擦傷が発生し易く、個々の事前包装は、包装を解く際も含めて包装工数と廃棄包装材の軽減が図りづらい。３）  同機種異サイズの緩衝包装に嵩高な緩衝材では共用できず、機種各サイズに対応した緩衝材と包装外箱を選ばざるを得ないので、包装費用と包装資材保管経費・管理経費の低減が難しい。
【課題を解決するための手段】
【００２０】  本考案では上記三文段に記述した難点を回避するために、（１）  上下一組の保持台枠で複数搬送品を一括保持緩衝させる。（２）  保持台枠中間に搬送品を分離できる等配枠を配し複数搬送品を非接触状態に等配置する。なお、この等配台では各種搬送ワークの異なる外形サイズに対応させた専用品で十分であろう。（３）  保持台枠の外周サイズを市販の規格段ボール箱またはプラスチック製折り畳み通函の内周サイズに合わせる。  の方向で三問題の解決を図った。【００２１】  このために重ねた試作成功から、さらに、（４）等配枠で、各種搬送ワークの異なる幅サイズへの共用化を図れる、（５）搬送運搬中の重衝撃による精密機器外周に生ずる軽い摩擦傷の発生要因をすべて排除できる、  等の見通しと経験を蓄積する事ができた。
【考案の効果】
【００２２】  上記［００２１］文段の３）対策で低廉な規格段ボールや折り畳みプラスチック製通函の採用可能となり、搬送外箱の入手コストがほぼ半減近くなった。また、上の２）対案により複数搬送品同士の搬送中に発生する摩擦がなくなり擦り傷生成要因が解消された。上の１）対抗策実施の結果、複数の搬送品を個別に緩衝包装することなく一括で保持緩衝でき、包装の手間が半減以下に削減できた。【００２３】  それに試行改良経験から（４）等配枠で数段で搬送品の幅に対応させ構造を開発でき、搬送梱包全体としての耐衝撃力を高め得たのに加え、（５）搬送運搬中の重衝撃による精密機器外周に生ずる軽い摩擦傷の発生要因を把握できたので、手軽な方法でこれの回避方策も立て得た。【００２４】  本考案は、区画物や枠などを用いて各搬送物の分離配置を可能にして配置できた全体の上下に敷き被せた単体で厚手の緩衝材で加圧梱包する一括緩衝方式でありながら、厚手の緩衝材で嵩高な廃棄物となるものを採用せずに、弁当箱形状や皿形状の機材を縦状に複数並べその上下端部分を高弾性薄膜を介して保持台枠で加圧することで、複数の搬送品をすべて中空に吊るようら姿勢に保持し、搬送中の各方向からの衝撃外力を保持台枠の高弾性薄膜の変形で吸収する方式であり、見方によっては嵩高な緩衝材ブロックやシートの働きを、緩衝する保持枠全体のサイズで代行するものとも言える。【００２５】  搬送品の区分け配置のために、等配枠として長穴状の窓をあけて下台枠の上に置いたのは分離配置するためでもあるが、搬送中には大きな外力のない限り、搬送物と接触しないので、ここでは複数搬送品相互の接触を防ぐ機能だけで十分であろう。【００２６】  従って一見すると、梱包方式としては旧来の一括緩衝方式と大差ないが、下記の事項が経費節減に貢献する。（６）復路においては、保持台枠も等配枠も折り畳んで平らに纏めて運べ、空気を運ぶかのような嵩高な緩衝材の持つ返送費用のデメリットが無い。（７）嵩高な緩衝材の処理に廃棄する費用が要らない。【００２７】  （６）項で発生する折り畳みに要する工数すなわち人件費は、（６）の嵩高な緩衝材の持つ返送費または（７）廃棄費用との相殺方向に働くのでさしたるメリットを産まないにしても、コスト低減には多少は貢献できよう。【００２８】  本考案では、特許文献の少ない一括緩衝包装法として、［００２２］〜［００２７］の各文段で述べたように８項にのぼる効果が期待できる。
【考案を実施するための最良の形態】
【００２９】以上の効果を理解し易い、図１：一括緩衝包装説明図でみる。この図１は（Ａ）：充填順説明、（Ｂ）：充填直後図、（Ｃ）：梱包状態模式図の３イラストで構成され、梱包手順を（Ａ）で、衝機能を（Ｃ）で説明している。【００３０】  （Ａ）：充填順説明で見るように、本考案の一括緩衝包装では下側から上への順に装填して行くものとしている。【００３１】  最下段に配置した仮想線（二点鎖線）で示してある箱は、通函などの外箱の内容積を示す立方体である。通函そのものの図示を避けたのは、通函が段ボール箱であってもプラスチック製折り畳み箱であっても金属製あるいは木製であっても構わないからである。ともかく、通函そのものは問わないが外箱容器として事前に用意されているものとする。【００３２】  高弾性薄膜面を上に向けた下部保持台枠３を、通函の底へ置く。底に敷くので「下部」と言う語句がついてはいるが、図（Ａ）頭部の上部保持台枠３と変わらない。なお、保持台枠３の数字３は、後続部分で符号「３」のついた「保持台枠」として詳述されていることを示している。【００３３】  その上に、等配枠４を置き、複数の搬送品を等配窓板に設けられた長穴状の抜窓に挿し込む形で立てる。なお、この分離等配枠４は同種搬送機種の複数サイズに共用しないで、各搬送機種に適合させたものを用いるのが普通である。【００３４】  高弾性薄膜面を下に向けた保持台枠３を、複数の搬送品に被せるように載せる。なお、保持台枠３は［００３２］のものと同じであって裏表を逆にしただけである。【００３５】  ここまで積み重ねた時、通函の上端から保持台枠３がある程度飛び出している。これが図（Ｂ）：充填直後図で、寸法Ｈとして示されている。これは、下部保持台枠３の高弾性膜面が複数の搬送品の自重のみの負荷しか受けていないので、僅かしか沈み込んで居ないためである。これは、当然なこととして説明しない。【００３６】  最後に、図（Ｂ）の寸法Ｈ＝外箱の上端からある程度飛び出している保持台枠３を、底方向にへ押し込む形で箱に蓋をする。蓋部分を固定できる通函でない時は、蓋を被せた外箱をシールテープまたはバンドなどでしっかりと梱包する。【００３７】  以上の手順で包装でき、嵩高な緩衝材を用いる必要がない。在来の嵩高な一括緩衝システムや紹介特許文献などと比較するとき異なる点は［００３３］における等配枠４であって、在来の搬送物幅方向に配置した櫛形案内に搬送物の両幅を差し込むのよりは多少能率的とは言えるだけである。【００３８】  しかしこれによって期待できる効果は、方形や円盤状の搬送物なら、幅方向のサイズに有る程度の幅で共用化できることが等配枠４の形状から理解できよう。いや、等配枠４に設ける長穴のサイズでも共用できると気づけるものが搬送物の厚さは穴の幅で決められる事である。【００３９】            箱サイズと保持台枠３が共通なら、等配枠４のみで、搬送品の厚さと幅で有る範囲内で共用できることを示しており、搬送物幅方向に櫛形案内配置した在来方式よりは簡便で低費用で寄り多くの搬送機材に適合させうる効果を認め得る。【００４０】  さらに、搬送品を除いた通函・保持台枠３・等配枠４などは包装時以外には折り畳みできるので搬送復路においてはコンパクトに���え返送コストの低減も期待できる。このことは、本システムの緩衝包装材も保管時には折り畳んで保存できるので保管資材としても低廉に済むはずである。【００４１】  いや、搬送にとっての最重要事項はコストではなく、機材の損傷防止である。そちらの方はどうかについては、図（Ｃ）：梱包状態模式図でお応えしたい。【００４２】  図（Ｃ）の符号１〜４は図（Ａ）と同じなので、この図は、通函などの容器１で、４ヶの搬送物２を上下の保持台枠３で支持している、等配枠４は搬送物２を分離しているのではないらしく搬送物２に接触していない。高弾性薄膜３４１は保持台枠３の長窓から上下に膨らんで個々の搬送物２を中空に吊っているらしいことを、示している。【００４３】  宙づりにされているなら、搬送中への衝撃受領時に、高弾性薄膜３４１で搬送物２を押さえ込んだまま空気中を振動するだけであり、搬送物２に当たりうる可能性のあるものは等配枠４の長穴の縁の折れ曲がる羽根みたいなものだけだから傷も付くまい。宙吊り包装がハンモック包装方式とも呼ぶのは尤もだとも判断できる筈である。【００４４】  以上の図１：一括緩衝包装説明図による本考案の概要を終えるが、図１の（Ａ）と（Ｃ）を見比べることで次の２項についても自然に思い至ると思える。【００４５】  図（Ｃ）では、図（Ｂ）の寸法Ｈがゼロになっただけであるから、搬送物２の外形サイズのうち高さが小さいものは寸法Ｈに等しいか近いスペーサーか台を乗せることで、この外箱でより低い高さの搬送品２の梱包にも共用できる。［００３８］で搬送物２の幅と厚さの両方向への有る程度の範囲内での共用化可能を、これで、高さ方向への有る程度の範囲内での共用化可能を確かめ得たことになる。すなわち、本考案の一括緩衝包装では、搬送物２の外形サイズの３方向への寸法差を許容できる事になる。【００４６】  また、図（Ｃ）で看るように、等配枠４は搬送物２に接触していない。等配枠の分離機能は立て前であって、等配枠４の機能は搬送物２を配列するための挿入案内なのではないか。だとすると、薄い板材で十分で有ろうとの結論である。
【実施例１】
【００４７】  外箱に関係なく適用できる本考案包装方法を構成するものは、図１（Ａ）に視る通り二つである。その一は、保持台枠３であり、その二は、等配枠４である。この順で各図を用いて説明するが、その前に図１からこの二つを要約してみたい。【００４８】  保持台枠３は、一言で表現すると、方形をなす板面に一括で運ぶ数の搬送物２が通る大きめの抜穴窓を設けて左右ともにΠ字形断面をなすよう腰板を四周に繞らせ強固な枠を形成せしめたこれの板表面に高抗張力高弾力性透明薄膜を展伸してその四周を接合したものである。【００４９】  一方、等配枠４は、一括で運ぶ数の搬送物２が通る抜穴窓を設けてΠ字形断面を有し低摩擦係数プラスチック薄膜でラミネートした搬送物の挿入案内のためのブランケット折り畳み品、と言える。【００５０】  したがって、本考案は等配枠４を介して一括で運ぶ数の搬送物２を容器内底に置いた保持台枠３に縦長に仮配置しておいてその上に裏返した保持台枠３を被せ、この１対でもって、複数の搬送品２の上下端面を包み込むかのように押圧した形で、外箱容器１の中に納める包装方法といえる。【００５１】  この［００４８］保持台枠３の構成は［００５３］以下で、［００４９］等配枠４の構造を［００７２］以下で記述する。【００５２】    保持台枠３は、搬送品を最大で窓穴数までの数の搬送品２を一括して、それらの上と下を押さえ込むことによって、嵩のある緩衝材を用いることなく搬送品を保持するためのものである。この詳細を図２：保持台枠斜視図と［００４９］〜［００６９］の文段で詳述する。【００５３】  等配枠４は、搬送品を最大で窓穴数までの数を一括してそれらを縦長にかつ各搬送品間隔を置いて挿入を容易にするためのものである。搬送品機種専用でなく異なるサイズの同類複数機種にも工夫次第によっては扱えるものとなる。等配枠４の詳細を［００７１］〜［００８９］の文段と図３：分離等配枠斜視図で述べる。【００５４】  図２：保持台枠構成図では本考案一括緩衝包装の中核を成す保持台枠３を四図に分けて説明した。それは図（Ｄ）台枠３１０  展開・図（Ｅ）台枠３    折畳・図（Ｇ）高弾性薄膜３４１  展開図・（Ｆ）高弾性薄膜３４  折畳であり、この順に説明する。英字順でないことに留意されたい。【００５５】  図（Ａ）台枠３１０の展開斜視図に視るように、全体で十字形を成す台枠３１０の中央の台枠板３１１は、台枠腰長外折目３１６と台枠腰短外折目３１７で囲まれた方形を成している。なお、外折目とは破線位置を折り曲げた際の折目が外側に凸になるようなエボンス加工を示している。【００５６】  この方形の台枠板３１１には複数の窓穴が成形されている。窓穴外折目３１３を窓穴切分線３１５で二分した二枚の窓穴補強板３１４を有する一組の抜窓穴３１２が本図では４組等配されている。なお、抜窓穴３１２のサイズは搬送品２の断面より二回りほど大きいものに設定する。【００５７】            この台枠板３１１の長手方向両側には、台枠腰短外折目３１７・台短腰板３３１・台枠内短外折目３１９・台内短板３３２と延び、台内短板３３２の両側端には台内凹接手３３３を設けている。【００５８】  また、台枠板３１１の幅両側への延展は台枠腰長外折目３１６・台長腰板３２１・台���長板３２２と続き末端の台内長板３２２両側端には台内凸接手３２３があり、これは台内凹接手３３３と係合するとき、図（Ｅ）前面の一部切断表示部分に見るように台内長板３２２と台内短板３３２とを台長腰板３２１と台短腰板３３１とが成す方形腰枠の補強内枠を強固なものとして形成する。【００５９】  以上で述べた台枠３１０の展開図で、全折目が外側になるように凸に折り曲げ、台枠凸接手３２３と台枠凹接手３３３が４組ともに係合させて折り畳み完了の組立てたものを、裏返したのが図（Ｅ）の保持台枠３１の組立品斜視図として示されている。【００６０】  ただし、この状態では組立てた台枠３０として機能しない。図（Ｆ）に示すような浅い方形箱状に折り畳まれた高弾性薄膜３４が貼られないと、１個の搬送品２さえも保持できないからである。【００６１】  このための高抗張力高弾力性透明薄膜シート３４１を図（Ｇ）高抗張力高弾力性透明薄膜３４展開とそれを接合直前の成形した形状の図（Ｆ）高弾性薄膜３４折畳に示した。【００６２】  高抗張力高弾力性透明薄膜シート３４１は方形であって四隅に図（Ｇ）に細実線で示した隅切落３４３があって、それの凹角が切落角３４２であって全体としては張り出しの短い十字形を成している。この切落角３４２の長手方向を結ぶ細破線が長手内折目３４７であり、切落角３４２の短辺方向を結ぶ細破線が幅側二重内折目３４５であり、その幅側外側にさらにも細破線として図示している幅側重ね内折目３４４がある。【００６３】  この高抗張力高弾力性透明薄膜シート３４１の両側の幅側末端３４６が内部に重なるように幅側重ね内折目３４４を折り畳んでから台枠３１の台枠板３１１面に張り、長手内折目３４７を折り立ち上げる形にして図（Ｆ）の扁平白矢印の台枠短腰板接着面３６１に台枠短腰板両面接着テープ３７１で固定し、幅側二重内折目３４５を折り立ち上げる形にして図（Ｆ）の扁平白矢印で示した台枠長腰板接着面３６２に台枠長腰板両面接着テープ３７２で固定する。【００６４】  高弾性薄膜３４１だけの形を見ると、図（Ｆ）高弾性薄膜３４折畳に示した組立形状になる。すなわち、シート３４１の幅側末端３４６が接着後長手末端３５２に、シート３４１の長手末端３４８が接着後幅側末端３５１として図示されている。【００６５】  この接着後幅側末端３５１と接着後長手末端３５２の各相対する２辺の立ち上げとから成る４周が、図（Ｂ）の保持台枠３１の組立品の各腰板下部に接着される台枠短腰板接着面３６１と台枠長腰板接着面３６２になる。【００６６】  このように接着した後に、高弾性薄膜３４１部分のみで言うと、膜面が高弾性薄膜シート単層部分３４１Ｓ範囲と、二枚重ねの扁平白矢印の台枠長腰板接着面３６２立ち上げ部分と高弾性薄膜シート二重部分３４１Ｗ範囲とになるように故意に設計したのは、破れにくくするほか、搬送品２端部の保持力を倍増させるためでもある。【００６７】  かくして図（Ｅ）の保持台枠３１と図（Ｆ）高弾性薄膜３４折畳の接着結合によって、はじめて保持台枠３として機能するようになる。この形成された保持台枠３は、台枠凸接手３２３と台枠凹接手３３３の４組ともに係合を解いて展開して、再折り曲げ組立しても後段に述べる機能を損なうことが無い���すなわち［００２２］文段記述の効果は保持されることに留意して欲しい。【００６８】  斯様に構成された保持台枠３の外形サイズについて触れる。外周寸法は図１の（Ａ）充填順説明図や（Ｂ）充填直後図から判断できるように、通函として採用した外箱容器の内法で決まる。すなわち、容器内にスッポリ収まるが、容器内壁との隙間が保持台枠３の板材である台枠板３１１の厚さの２倍以下が妥当である。【００６９】  保持台枠３の高さ≒台長腰板３２１＝台短腰板３３１は、搬送品の重量・高弾性薄膜シート膜厚・抜窓穴３１２の窓幅・台枠板３１１の厚さと強度などの諸条件下で１０Ｇへの耐衝撃性を持たせたものに所定の安全率を乗じて決めるので一概に言えないが、在来の一括緩衝方式でスポンジシートを上下に敷いたものと大差ないと見て構わない。【００７０】  以上で本包装方法を構成するものの一つである保持台枠３に関する構成の説明を終わる。次に、図３：等配枠説明図は、（Ｈ）等配枠４１１展開で形状詳細を、それを折り曲げ形成した形を外観図（Ｊ）等配枠４折畳組上で、搬送品許容幅調整の説明を図（Ｋ）等配枠縦断図で、各々記載する。【００７１】  等配枠４は、窓穴数までの数の搬送品を一括して、それらを縦長にかつ各搬送品間隔を置くようにと配置挿入を容易にするためのものである。分離配置の案内でもあるが、搬送中は原則として搬送品に接触しないように設計される。このため、当初は搬送機種ごとの専用で有った。【００７２】  納入を重ねている内に顧客の要望などで異なるサイズの同類複数機種にも許容対応できるようになったので、本明細書では、搬送品の外形サイズを構成する３要素、厚さ・幅・高さの三次元で標準機種のサイズ±２５％の範囲で対応できるものを説明する。【００７３】  等配枠４は段ボール板などの表面に低摩擦係数のフイルムをラミネートしたものを図３の（Ｄ）等配枠４１１展開図に見るように横長な十字形を成している。長手方向左端から右端へと順に説明する。【００７４】  全体を外折り目で左端から区分けすると、内幅決め突起４２５を２個持つ内幅調整上板４２４・窓内幅調整外折目４１９・内幅調整下板４２３・窓内下外折目４１８・窓底板４２２・窓台足外折目４１７・窓腰板４２１・窓板腰外折目４１６・等配窓板４１１・窓板腰外折目４１６・窓腰板４２１・窓底外折目４１７・窓底板４２２・内下底外折目４１８・内幅下板４２３・窓内幅調整外折目４１９・窓内幅上板４２４・内幅決め突起４２５と並ぶ。これは左右対称であり、ラミネート面を上面にしている。【００７５】  中心に位置する等配窓板４１１は窓板外折目４１６と補強板外折目４２６に囲まれた方形であって、上下に窓補強板４２７を持ち、方形内に４個の抜窓４１５を有し各抜窓内に折り曲げる縁補強板４１２とその窓縁外折目４１３各２ヶと縁補強板切り目４１４を有する。【００７６】  等配窓板４１１に４ヶの小さい矩形の穴があり、両窓腰板４２１にも各１２ヶの小矩形穴が設けられ、各々に搬送品許容幅最大設定穴４２１１・搬送品許容幅大設定穴４２１２・搬送品許容幅中設定穴４１１３・搬送品許容幅最小設定穴４２１４と附番してある。計１６個の小矩形穴については［００７８］［００８１］〜［００８３］で記述を補う。【０��７７】  展開図（Ｈ）で、二点鎖線で表示されている三種の縦長矩形は等配窓板４１１を展開したまま付設する部品であって、内板張り高弾性薄膜シート４３とこれの接着両面テープ４４は内幅上板４２４と内幅下板４２３表面に、軽粘着性接着剤塗布部分４５は窓底板４２２表面の小面積に塗布して置くものとする。【００７８】  この等配窓板４１１のすべての外折目を曲げて、内幅決め突起４２５を搬送品許容幅設定穴４２１１・４２１２・４２１３・４２１４のどれかに挿し込んでおくことにより、図（Ｊ）の外観図の形をとる。【００７９】  この等配枠の外周サイズは、図１（Ａ）充填順説明図内の２番目  等配枠４  の記載イラストから保持台枠３とほぼ同じか多少小さめ程度であることは自明であろう。これの縁補強板切り目４１４に沿って縦断したものが（Ｋ）等配枠縦断図である。【００８０】  図３の（Ｋ）等配枠縦断図は、内幅下板４２３と内幅上板４２４とが窓内幅調整外折目４１９と内下板外折目４１８とが成す折り曲げ角により搬送品許容幅Ｗ１〜Ｗ４が変えられることを示している。【００８１】  その搬送品許容幅の選定は内幅決め突起４２５を搬送品許容幅最大設定穴４２１１・搬送品許容幅大設定穴４２１２・搬送品許容幅中設定穴４２１３・搬送品許容幅最小設定穴４２１４のどれかに挿し込んで行うが、図（Ｋ）では搬送品許容幅最大設定穴４２１１に係合させてあるため搬送品許容幅最大Ｗ１を設定している。【００８２】  よって、搬送品許容幅大Ｗ２・搬送品許容幅中Ｗ３・搬送品許容幅最小Ｗ４の設定時の状況は細い仮装線で示した。【００８３】  内幅下板４２３と内幅上板４２４は、接着両面テープ４４によって内板張り高抗張力高弾力性透明薄膜シート４３によって係合されているためこのシート４３の弾性により絶えず平面を保つ方向に働くため、設定された搬送品許容幅Ｗ１〜Ｗ４を確実に保持する。【００８４】  この内板張り高抗張力高弾力性透明薄膜シート４３は、本包装方法が一過性の当用時には必要ないものであって、本包装方法を工場や出荷先との頻繁な繰り返し往復に常用する通函搬送時には必至なものである。【００８５】  なぜなら、等配枠４の窓内幅調整外折目４１９に曲げ角度癖で、小さめな搬送品許容幅での数回以上の運用時により広い搬送品許容幅に対応できなくなることを防止するための経験から産まれた工夫だからである。【００８６】  しかし、注意深く当等配枠４を検討するとき不安が残るかも知れない。それは、この等配枠４には保持台枠３と異なって、［００５８］文段記述のような台周りをなす腰板をしっかりと補強固定する仕組みになっていないからである。【００８７】  しかし、その心配は杞憂に過ぎない。なぜなら、一に外箱たる容器１に納めてしまうと等配枠４の窓腰板４２１は容器２内壁に遮られ外側に開かない、二に窓補強板４２７を直角以上に曲げ込んでおけば内部にも倒れないからである。【００８８】  さらに、容器１内に落とし込んだ際に、保持台枠３の台枠３１表面に載る等配枠４の台足となる窓底板４２２が両側ともに台枠３１表面に軽く接着できるからである。これは図３（Ｈ）等配枠４１１展開と（Ｋ）等配枠縦断図の符号４５施工による効果である。【００８９】  この部分の  軽粘着性接着剤塗布部分４５とは事務用付箋ていどの何遍でも張り剥がせる感圧性粘着材を塗って置くことを指す。以上の３事項は［００８６］で上げた不安要因の存在を否定している。【００９０】  以上で本包装方法を構成するものの一つである保持台枠３の説明を終わる。続いて、図４：緩衝保持機能説明図で、本考案の保持台枠３の機能を詳述する。【００９１】  この図４は［００８０］で触れた（Ｋ）等配枠縦断図と同じく、図１（Ｃ）のように梱包された全体を、等配枠４の抜窓４１２の真ん中の窓縁補強板切り目４１４に沿って縦断視したものゆえ、視線方向は、図１（Ｃ）梱包状態模式図とは９０度異なる。【００９２】  なお、（Ｋ）等配枠縦断図では符号引出し先を明確にするために故意にハッチングを施さなかったが、図４：緩衝保持機能説明図ではハッチングを省略していない。【００９３】  また、この図４では内幅決め突起４２５を搬送品許容幅大設定穴４２１２に係合したものとして描いている。また、図中央の十字矢印Ｖの衝撃時加振方向での挙動を説明するため意図的に行った表示が２項ある。保持台枠３の表面に張った高弾性薄膜４３１を太線で明示し、それの加振時移動位置では細い仮装線で表示した。そして搬送品２の異動先上下端部を仮装線で表現した。【００９４】  図４が描いている状況を、今までの記述との重複を恐れずに説明する。図４の左側の符号配列で直感できるように容器１内に上下に隙間が出ないように、上から保持台枠３、中間に搬送品２と等配枠４、底に保持台枠３と３層に押し込み詰められている。【００９５】  押し込んだ量のほぼ半分づつが、保持台枠３表面台枠板３１１に張った高弾性薄膜シート３４１が抜窓穴３１２から保持台枠３裏側に凸状に突き出している。【００９６】  このため、太線で明示した高弾性薄膜シート４３１の高弾性薄膜シート単層部分３４１Ｓが突き出した搬送品２の上辺全面を、高弾性薄膜シート二重部分３４１Ｗの一部で突き出した搬送品２の両肩部分を梱包容器１の中間に押し戻すように伸びている。【００９７】  これは高弾性薄膜シート４３１の局所の伸び代長さに応じた張力で搬送品２を元々中空である梱包容器１内に宙づり姿勢で位置決めしていることで、搬送品２を保持することになる。【００９８】  こうなるのは、台枠板３１１の周囲を、台内長板３２２を補強折り返しとした台長腰板３２１と台内短板３３２で補強された台短腰板３３１とが係合されて押し込み反力で変形しない台枠を形成できているからである。【００９９】  この状況は上下で一対をなす保持台枠３のいずれでも変わらない。違うのは向きだけである。ここで、外部からの衝撃を受けた際の状況を多少単純化して検討する。【０１００】  図４の真ん中に置いた加振方向をしめすＶ符号の十字から見てゆく。上下動の加振衝撃を受けた際を始めの検討項目として見る。まず、上向きの１０Ｇの加速度であると想定した際、搬送品２の上面も上に跳ね上がるが高弾性薄膜シート３４１の抗張力によって妨げられ上部高弾性薄膜シート衝撃時上限位置３４１ＴＵで止められるが一方搬送品２の下面も搬送品２の下面は下部高弾性薄膜シート衝撃時上限位置３４１ＢＵまで昇るが、高弾性薄膜シート３４１の伸縮は上面が大きく下面が小さいのでその抗張力の差が反��として搬送品２に作用して下の元位置に戻ろうとする。【０１０１】  つぎに、下向きの１０Ｇの加速度であると想定した際、搬送品２の下面も定常位置から下に動くも底側の保持台枠３の高弾性薄膜シート３４１の伸びに伴う抗張力が下部高弾性薄膜シート衝撃時下限位置３４１ＢＤで加工運動を停止させる一方搬送品２の上面も下がり上部高弾性薄膜シート衝撃時下限位置３４１ＴＤで止まるが、この際の高弾性薄膜シート３４１の伸縮は上面がマイナスで下面がプラスなのでその抗張力の差が反力として搬送品２に作用して上の元位置に戻そうとする。【０１０２】  横向きの１０Ｇの加速度が負荷されたと想定した際、容器１の空中に保持されている搬送品２は左右に移動しようとするが、搬送品２の上面や下面と高い圧力で接触している高弾性薄膜シート３４１表面はそれの高い摩擦係数のため、上面や下面のか滑動を許さないので、左側に運動するためには左肩＝上面左角の２層の斜面を成している高弾性薄膜シート３４１部分を緩み弛ませ、右肩＝上面右角を覆い斜面を成している２層の高弾性薄膜シート３４１部分を引き延ばす必要がある。これへの反力が緩衝力として働く。【０１０３】  搬送品２下面と接触している弾性薄膜シート３４１表面においてもこの状況は同じで、しかも、この横向きの負荷が有効に働く部分は伸びる搬送品２の厚さと幅を凸状に覆うように斜面を形成している部分だけであるため、高弾性薄膜シート３４１の抗張力が働く面積が狭いため強く働く。【０１０４】  したがって、左方向に負荷した際には、搬送品２の上面抜窓穴左側隙間ＬＴと下面抜窓穴左側隙間ＬＢを狭めるも、ゼロとすることはなく、上面抜窓穴左側隙間ＲＴと下面抜窓穴左側隙間ＲＢを多少広げ、元に戻すように作用する。【０１０５】  また。右方向にＧが懸かっても搬送品２の上面抜窓穴左側隙間ＬＴと下面抜窓穴左側隙間ＬＢを多少引き延ばし、上面抜窓穴左側隙間ＲＴと下面抜窓穴左側隙間ＲＢを多少狭めるも、抜窓穴端部に衝突することはなく、元位置に戻ろうとする。【０１０６】  図４で搬送品２が前後に振動する際を考えてみると、これは図１（Ｃ）梱包状態模式図でいうと搬送品２が左右に振動する事であり、上記［０１０２］文段とほぼ同じなのでそれを準用して構わないように思える。【０１０７】  試験結果では、搬送品２挿入時に搬送品が倒れ気味にセットされても、上部保持台枠３を緩やかに押し込むと、搬送品２は保持台枠３の抜窓穴３１２のセンターに自動調芯されたかのように保持される傾向があるとの説もあるが無視すると、等配枠４の抜窓４１２の幅は配送品２の厚さで塞がれるので、隙間も小さいので、抜窓内の窓縁内板４１４には接触する可能性が大きいと考えられる。【０１０８】  搬送中の衝撃方向は、単純化した［０１００］〜［０１０６］の組み合わせ複合であるものの、高弾性薄膜シート３４１で複数の搬送品２を宙づり状に保持したまま運べるので接触するものは無いはずだが、本緩衝包装での接触の発生対象は等配枠４のみであるから、等配枠４板材には摩擦係数の低いプラスチック薄膜をラミネートし、摩擦回数の多くなりそうな内幅調整部分では念のため高弾性薄膜シートを張り、さらに摩擦発生防止策の一つとして、等配枠４を保持台枠３に軽接着���たので、搬送中には接合状態を維持し、開梱時に外したい時には容易に取り外せる。
【産業上の利用可能性】
【０１０９】  容器内の底に敷いた厚手緩衝材の上に、区画物や枠などを用いて各搬送物の分離配置しその上に被せた厚手の単体緩衝材で加圧梱包する一括緩衝方式包装において、厚手の単体緩衝材に代わる保持台枠によって、繰り返し運用できる緩衝搬送方式を提供できた。【０１１０】  この繰り返し運用可能により、搬送費経費の面でも、嵩高緩衝材の保管と管理と廃棄処理などの不要化によるメリットは大きい。 
【図面の簡単な説明】
【０１１１】
【図１】一括緩衝包装説明図    （Ａ）充填順説明    （Ｂ）充填直後図    （Ｃ）梱包状態模式図
【図２】保持台枠構成図    （Ｄ）台枠３１０  展開    （Ｅ）台枠３０    折畳    （Ｆ）高弾性薄膜３４  折畳    （Ｇ）高弾性薄膜３４１  展開
【図３】等配枠説明図    （Ｈ）等配枠４１１  展開    （Ｊ）等配枠４１折畳組上    （Ｋ）等配枠４１縦断図
【図４】緩衝保持機能説明図
【符号の説明】
【０１１２】１          外箱容器内規２          搬送物または搬送品３          保持台枠（組立品）３１        台枠（組立）３１０      台枠（展開）３１１      台枠板３１２      抜窓穴３１３      窓穴外折目３１４      窓穴補強板３１５      窓穴切分線３１６      台枠腰長外折目３１７      台枠腰短外折目３１８      台枠内長外折目３１９      台枠内短外折目３２１      台長腰板３２２      台内長板３２３      台内凸接手３３１      台短腰板３３２      台内短板３３３      台内凹接手３４        高弾性薄膜  折畳３４１      高弾性薄膜シート３４１Ｓ    高弾性薄膜シート単層部分３４１Ｗ    高弾性薄膜シート二重部分３４１ＢＵ  下部高弾性薄膜シート衝撃時上下限位置３４１ＢＤ  下部高弾性薄膜シート衝撃時下限位置３４１ＴＵ  上部高弾性薄膜シート衝撃時上限位置３４１ＴＤ  上部高弾性薄膜シート衝撃時下上限位置３４２      切落角３４３      隅切落３４４      幅側重ね内折目３４５      幅側二重内折目３４６      幅側末端３４７      長手内折目３４８      長手末端３５１      接着後幅側末端３５２      接着後長手末端３６１      台枠短腰板接着面３６２      台枠長腰板接着面３７１      台枠短腰板両面接着テープ３７２      台枠長腰板両面接着テープ４          等配枠４１１      等配窓板４１２      抜窓４１３      窓縁外折目４１４      窓縁内板４１５      窓板切分線４１６      窓腰板外折目４１７      窓台足外折目４１８      窓内下外折目４１９      窓内幅調整外折目４２１      窓腰板４２１１    搬送品許容幅最大設定穴４２１２    搬送品許容幅大設定穴４２１３    搬送品許容幅中設定穴４２１４    搬送品許容幅最小設定穴４２２      窓底板４２３      内幅調整下板４２４      内幅調整上板４２５      内幅調整決め突起４２６      縁折目４２７      縁補強板４３        内板張り高弾性薄膜シート４４        同上接着両面テープ４５        軽粘着性接着剤塗布部分ＬＢ        下面抜窓穴左側隙間ＬＴ        上面抜窓穴左側隙間ＲＢ        下面抜窓穴右側隙間ＲＴ        上面抜窓穴右側隙間Ｗ１        搬送品許容幅最大Ｗ２        搬送品許容幅大Ｗ３        搬送品許容幅中Ｗ４        搬送品許容幅最小Ｖ          衝撃時加振方向太白矢印    状態の変更を示す扁平白矢印  接着面を示す